(57)【特許請求の範囲】
【請求項１】
左右対称位置に設けられた肘桿取付部に肘掛けの着脱部を着脱可能に取り付ける椅子において、
前記肘桿取付部は、前記着脱部を奥方にガイドするためのガイド部と、奥方壁に設けられた凹部とを備えたものであり、
前記肘掛けは、肘桿と、この肘桿に取り付けられ着座者の肘置き箇所を構成する肘当てとから成り、
前記肘桿には、着脱部から連続的に屈曲させて略直角に起立する肘支柱の上端部に土台部が設けられ、左右兼用できるように前後対称形状とした前記着脱部には、前記凹部に対して抜き差しできる凸部が設けられ、それら凹部と凸部とを凹凸係合すると共に、ボルト部材により前記肘桿を前記肘桿取付部に固定できるようにしたものであり、
前記肘当ては、前記土台部を介して肘桿に取り付けられるようにしているものであり、
前記肘当ては、着座者が利用しやすい左右各々別の形状として左右兼用とせずに、前記肘桿を左右兼用としたことを特徴とする椅子。
【請求項２】
前記肘当ては、左右の前方部を着座者側に向けたことを特徴とする請求項１記載の椅子。
【請求項３】
前記肘当ては基台部を含み、該基台部の下面位置に前記土台部に対応した形状を成す取付部であるへこみ部を有し、このへこみ部に肘桿の土台部を填め込んで取り付けられるようにしたことを特徴とする請求項１または２記載の椅子。
【発明の詳細な説明】
【０００１】
【発明の属する技術分野】
本発明は、椅子の左右対称位置に取り付ける肘掛けに関するものである。
【０００２】
【従来の技術】
従来、いわゆるＴ型肘掛けは、椅子に取り付けられる取付部を有する肘桿と、この肘桿の上端に設けられる着座者の肘を置くための肘当てからなり、椅子の座受けに設けた取付箇所に、通常左右一対に取り付けられるものである。詳述すると、この一対の右肘掛け及び左肘掛けは、左右対称の外観形状を成すものであり、前記肘桿の下端に設けた座受側に突出する取付部により、前記座受けの後方を抱える状態で椅子に固定されている。また、前記肘当てを、着座者の肘を置きやすい椅子の略中央位置に位置させるために、肘桿を椅子の後方に設けた取付部から前上方に向けて側面視傾斜した状態に形成している。
【０００３】
【発明が解決しようとする課題】
ところが、このような右肘掛け及び左肘掛けは、その外観形状を異にして左右対称に形成しているため、例えば、右肘掛けを、面方向に１８０度回転させて左肘掛けの取付位置に取り付けようとすると、前記肘桿の傾斜や前記肘当ての形状が前後反対になってしまうため、左右の肘掛けを兼用することができない。従って、左右別々の肘掛けを制作しなければならず、生産コストの増加に繋がっていた。
【０００４】
そこで、本発明は、部品点数を減らし、生産コストを下げられる肘掛けを取り付ける椅子を提供することを目的とするものである。
【０００５】
【課題を解決するための手段】
そこで、本発明は、上記課題を解決するために、次のような手段を講じたものである。
つまり、左右対称位置に設けられた肘桿取付部に肘掛けの着脱部を着脱可能に取り付ける椅子において、前記肘桿取付部は、前記着脱部を奥方にガイドするためのガイド部と、奥方壁に設けられた凹部とを備えたものであり、前記肘掛けは、肘桿と、この肘桿に取り付けられ着座者の肘置き箇所を構成する肘当てとから成り、前記肘桿には、着脱部から連続的に屈曲させて略直角に起立する肘支柱の上端部に土台部が設けられ、左右兼用できるように前後対称形状とした前記着脱部には、前記凹部に対して抜き差しできる凸部が設けられ、それら凹部と凸部とを凹凸係合すると共に、ボルト部材により前記肘桿を前記肘桿取付部に固定できるようにしたものであり、前記肘当ては、前記土台部を介して肘桿に取り付けられるようにしているものであり、前記肘当ては、着座者が利用しやすい左右各々別の形状として左右兼用とせずに、前記肘桿を左右兼用としたことにより、いわゆるＴ型肘掛けにおいて、部品点数を減らし、生産コストを下げられるようにする。
【０００６】
前記肘当ては、左右の前方部を着座者側に向けたものが望ましい。
また、肘当ての好適な態様としては、基台部を含み、該基台部の下面位置に前記土台部に対応した形状を成す取付部であるへこみ部を有し、このへこみ部に肘桿の土台部を填め込んで取り付けられるようにしたものを挙げることができる。
肘桿の具体的な取付態様としては、前記左右対称位置には肘桿取付部が設けられており、該肘桿取付部の奥方壁には凹部が設けられ、前記着脱部の前端面には凸部が設けられ、それらを凹凸係合すると共に、ボルト部材により肘桿を固定できるようにしたものを挙げることができる。
【０００７】
【発明の実施の形態】
以下、本発明を説明するための一実施の形態について図面を参照して説明する。図１は、本発明を説明するための一実施の形態を示す肘掛け９を取り付けた椅子１の側面図を示しており、図２は、その正面図を示したものである。また、図５は、この椅子１に取り付ける肘掛け９の取付工程斜視図である。以下、具体的な構成について詳述する。
【０００８】
この椅子１は、ベース脚２に背もたれ部５及び座部６を支持させてなるもので、執務等に適した使用姿勢をとることができるのみならず、安息やリフレッシュに適した姿勢等を適宜選択的にとることをも可能にするために、ベース脚２に、あるいはベース脚２と背もたれ部５、座部６等との間に、背座の高さ調整を行う昇降機構Ｐ、背もたれ部５及び座部６を連動させてロッキングさせるロッキング機構Ｑ、ストレッチ等のために背もたれ部５の上方部分のみを後傾させる背もたれ上部傾動機構Ｒ、腰骨を選択的に押圧するため等に利用される背もたれ下部傾動機構Ｓ、並びに、座部６を前後移動させる座前後調整機構Ｔを設けている。
【０００９】
具体的に説明すると、ベース脚２は、脚羽根２０の中心から上方に向けて回転軸２１を突出させたもので、その上に支持される座部６及び背もたれ部５を回転軸２１周りに旋回動作させ得るようにしている。昇降機構Ｐは、前記ベース脚２の回転軸２１にガススプリング２２を組み込み、このガススプリング２２を適宜作動させることによって背座を作動範囲の任意の昇降位置にロックできるようにしているものである。
【００１０】
背もたれ部５は、背もたれ下部フレーム５０と、背もたれ上部フレーム５５と、これら両フレーム５０、５５の間に図示しない弾性部材を介して架け渡した張り部材８とを具備してなるもので、両フレーム５０、５５は、ともにリンク要素７ｂの内側部分に設けられた回転軸７２に回転可能に取り付けられている。
【００１１】
座部６は、着座者の大腿部に対応する窪みを有するクッション体６０と、そのクッション体６０の下方を支持するシェル６１とを備えている。
【００１２】
一方、ロッキング機構Ｑは、ベース脚２に取り付けた支基３と、座部６を支持する座受４と、これら支基３と座受４との間を連結するリンク要素７ａ、７ｂとからなる不等辺の四辺リンク機構を主体とし、これにリンク要素７ａを適宜位置に固定するガススプリング３１を付帯させて構成されている。
【００１３】
支基３は、アルミダイキャスト等の剛性部材により構成されたＶ字状をなすもので、その基端を前記回転軸２１に固定し、先端を斜め上方に突出させている。この支基３の斜辺中央部の下面には、図示しない回転軸を通じてねじり方向の弾性力の蓄積、放出が可能なトーションバー７０が設けてある。
【００１４】
座受４は、図４に示すように、前記座部６のシェル６１を支持すべく、アルミなどの金属部材によって面状に成形されたもので、その平面部分に前後方向に延びる長孔部４０ｆ、４０ｂを設けており、この長孔部４０ｆ、４０ｂに前記シェル６１の図示しない突出部を挿入し、その挿入端側に後述する構造を採用して、上方への離脱を規制し得るようにしている。また、この座受４の後方には、座部６を介して着座者の坐骨近傍を支持させるようにした後部ベース４２を取り付けている。この後部ベース４２は、座受４の後端部分に回転可能に取り付けており、後述する背もたれ下部フレーム５０の傾動に伴ってその角度を変化させるようにしている。そして、この後部ベース４２の左右にも長孔４２ａを設け、座部６の後端部分をスペーサ４２ｂを介してスライド可能にネジ止めすることによって、座部６の後端部分の浮き上がりを防止するようにしている。また、この座受４の左右両側部対向位置に、後述する肘掛け９の有する肘桿９Ａを取り付けるための肘桿取付部４４を設けている。尚、この肘桿取付部４４については、後に詳述する。
【００１５】
リンク要素７ａは、一端を支基３の前方に回転軸３０を介して回転可能に取り付け、他端を座受４の前方裏面に回転軸４５を介して回転可能に取り付けた板状のものである。
【００１６】
リンク要素７ｂは、一端を支基３の斜辺中央部に設けた前記トーションバー７０の回転軸に固定し、他端を座受４の後端側に設けた回転軸７９に回転可能に連結したもので、通常、このリンク要素７ｂには上述した背もたれ下部フレーム５０及び背もたれ上部フレーム５５が回転軸７２回りの回転機能を停止させられた状態で一体的に固定され、リンク要素７ｂと共にトーションバー７０の回転軸回りに回転し得るものである。
【００１７】
ガススプリング３１は、リンク要素７ａと支基３との間に設けられたもので、選択的にリンク要素７ａを固定することによって、四辺リンク機構全体をロックするようにしている。
【００１８】
また、背もたれ上部傾動機構Ｒは、前記背もたれ上部フレーム５５の回転軸７２回りの回転を許容されることによって機能するもので、具体的にはロック機構ｒと、バネ部材７３とから構成されている。
【００１９】
ロック機構ｒは、図３に示すように、リンク要素７ｂの上方に設けた孔部７７と、背もたれ上部フレーム５５に取り付けた側面視略ひし形のブラケット５５０に設けた孔部５５１と、通常はこれら両孔部７７に跨る位置に配置され選択的に前記孔部５５１から引き抜くことによって背もたれ上部フレーム５５とリンク要素７ｂとの拘束を解除するピン７６とから構成されるものである。背もたれ上部フレーム５５の下端部内側に位置するブラケット５５０の内側には、リンク７ｂと一体をなすように同形状のブラケット７ｂ１が設けてあり、これらのブラケット５５０、７ｂ１とを重ね合わせて、孔部５５１の内側に孔部７７を位置させて、ピン７６を挿入するようにしている。しかして、ピン７６が両孔部７７、５５１に挿入されている状態においてはリンク要素７をｂと背もたれ上部フレーム５５とを拘束して一体的に動かし、また、このピン７６を孔部５５１から引き抜くことによって、上記の拘束を解除して背もたれ上部フレーム５５のみを回転軸７２を中心として独自に回転させるようにしている。
【００２０】
バネ部材７３は、背もたれ上部フレーム５５に傾動時に弾性を付与するためのもので、背もたれ上部フレーム５５を起立方向に押圧している。
【００２１】
さらに、背もたれ下部傾動機構Ｓは、前記背もたれ下部フレーム５０を利用したもので、この背もたれ下部フレーム５０を回転軸７２を支点にして前方に押し付け得る位置に図示しないガススプリングを設けている。
【００２２】
しかして、座受４の前方側端部には、座部６を取り付けた状態で以上の諸機構を選択的に活用すべく、レバー４３ａ、４３ｂ、４３ｃ、６７が設けてある。レバー４３ａは、座部６を昇降させるためのものであり、レバー４３ｂは背もたれ下部フレーム５０のみを後傾させるものであり、レバー４３ｃは座部６及び背もたれ上部フレーム５５、背もたれ下部フレーム５０全体を連動させてロッキングさせるためのものである。背もたれ上部フレーム５５のみの傾動は、非ロッキング時においてのみレバー操作なしで行うことができる。
【００２３】
次に、このように構成した椅子１の基本動作について説明する。
＜昇降動作＞
レバー４３ａの非操作時には、ガススプリング３１がロックされ、背座はある昇降位置に固定される。この位置からレバー４３ａを操作すると、ガススプリング３１のロックが解除されるため、背座はガススプリング３１の伸縮動作を伴って所定範囲で昇降動作させることができる。
＜ロッキング動作＞
全てのレバー４３ａ〜４３ｃ、６７を水平にしている状態（初期状態）では、座部６の下方に設けたガススプリング３１がフリーの状態になるとともに、背もたれ下部フレーム５０に連結したガススプリングが固定状態になる。このとき、背もたれ上部フレーム５５に設けた孔部５５１にピン７６が挿入され、リンク要素７ｂと背もたれ上部フレーム５５は一体としてトーションバー７０の回転軸を中心に後傾可能となる。そして、この背もたれ上部フレーム５５の後傾に伴って四辺リンク機構が変形し、かつ座部６も後方下向きに傾斜しながら、ロッキング動作を行う。
【００２４】
一方、所定の後傾角度にした状態でレバー４３ｃを倒した場合に、座部６の下方に設けたガススプリング３１が固定されるとともに、背もたれ下部フレーム５０の下方に設けたガススプリングの固定状態を維持して、後傾角度をその状態に維持する。
＜背もたれ上部のみの傾動動作＞
初期状態から水平状態のレバー４３ｃを倒すことにより、座部６の下方に設けたガススプリング３１がロックされて四辺リンク機構の動きが固定され、また、背もたれ下部フレーム５０に連結したガススプリングも固定状態が維持される。そして、背もたれ上部フレーム５５に設けた孔部５５１からピン７６を抜き、これによって座部６および背もたれ下部フレーム５０を固定した状態で背もたれ上部フレーム５５を弾力的に後傾させられるようにする。
＜背もたれ下部のみの傾動動作＞
背もたれ下部フレーム５０のみを後方に位置させる場合、これに対応したレバー４３ｂを操作することにより、背もたれ下部フレーム５０に連結されているガススプリングの固定状態を解除し、これによって背もたれ下部フレーム５０の回転を許容する。そして、所定の位置でレバー４３ｂを元の状態に戻すことによりガススプリングを固定して背もたれ下部フレーム５０をその状態に固定する。
＜座部の前後動作＞
座部６を前後方向にスライドさせる場合、座部６に設けたレバー６７を操作することによって規制片６６をピニオン６３から退避させ、ピニオン６３の自由回転を許容する。そして、これに伴って、座部６を前後方向にスライドさせ、好適な位置でレバー６７を元に戻すことによって規制片６６をピニオン６３に噛み合わせ、ピニオン６３の回転を規制して座部６の前後位置を固定する。
【００２５】
本実施形態は、以上の諸動作を通じて、座部６と背もたれ部５とを連動させてロッキングさせて着座者を通常使用位置から選択的に後傾リラックスさせる態様と、リンク要素７ｂのみを後方に回転させて背もたれ上部フレーム５５のみを後傾させ着座者をリフレッシュさせる態様とを切り替えられるようにしている。また、背もたれ下部フレーム５０のみを回転させて着座者の坐骨を押し上げるとともに腰骨を押圧できるようにし、更に、座部６のみを前後動させることによって着座位置を任意に変更できるようにしている。勿論、背座を高さ調整することができるのは言うまでもない。
【００２６】
以上のような構成に加えて、本実施形態は、前記座受４の左右対称位置に肘桿取付部４４を設けて、この肘桿取付部４４のいずれにも肘桿９Ａを共通にする肘掛け９を選択的に若しくは同時に取り付けることができるようにしている。以下、具体的な構成について説明する。
【００２７】
まず、図４に示すように、前記座受４の左右両側部対称位置に、肘掛け９の有する肘桿９を取り付けるための肘桿取付部４４を設けている。この肘桿取付部４４は、肘桿９Ａに設けた着脱部９１を下方から受けるチャネル部材からなり、その内側面をテーパ形状としたガイド部４４ａを設けている。また、その図示しない奥方壁に凹部４４ｄを設けて前記着脱部９１に設けた凸部９１３ａを凹凸係合できるようにすると共に、側端部にネジ孔を複数設け、肘桿９Ａをボルト部材により固定できるようにしている。
【００２８】
また、椅子１に対して左右対称位置に着脱可能な肘掛け９は、図５に示すように、いわゆるＴ型肘であり、椅子に取り付けられる着脱部９１を有する肘桿９Ａと、この肘桿９Ａの上端部に肘桿９Ａと直交する状態で取り付けられる肘当て９Ｂとから構成している。
【００２９】
前記肘桿９Ａは、樹脂素材等により一体成形されたものであり、図９に示すように、全体の外観形状を長手方向中心位置である中心線Ｏにて前後対称形状としており、下端部に前記座受４に設けた肘桿取付部４４へはめ込まれる着脱部９１を設けると共に、図８に示すように、この着脱部９１の一端から連続的に屈曲させて略直角に起立する肘支柱９２を形成している。また、この肘支柱９２の上端部に土台部を９３を連続して設け、前記肘当て９Ｂを取り付けられるようにしている。
【００３０】
前記着脱部９１は、側面視略逆三角形状からなり、上面９１１を水平面とすると共に、有底の溝９１１ａを２本平行状態に開口し、その奥方部に設けた一対の貫通するナット導入孔９１１ｂに、別体のフランジ付ナット部材Ｎを填め込み、ボルト部材にて前記座受４に対して肘掛け９を固定できるようにしている。また、その下面９１２を、前記肘桿取付部４４の有するガイド部４４ａの形状に合わせたテーパ形状に構成し、着脱部９１をスライドさせて肘桿取付部４４の奥方にガイドできるようにしている。更に、前端面９１３の下端部には、座受方向に突出した凸部９１３ａを設けており、前記肘桿取付部４４に設けた凹部に対して抜き差しできるようにしている。また、後方９１４には段差部９１４ｂを設け、肘掛け９を座受４に対する取り付け位置に位置決めできるようにしている。この着脱部９１の後方から起立する肘支柱９２は、僅かに傾斜した連続部９２１を介して、着脱部９１の水平面に対して略直角状態にある垂直部９２２を一体的に成形している。そして、その垂直部９２２の上端部を、後述する土台部９３の下面中央部内側面よりに連続させて、この土台部９３を介して肘当て９Ｂを取り付けられるようにしている。この土台部９３は、左右前後対称形状を成し、上面を肘当て９Ｂの裏面よりも小面積な取付面をとしている。また、リブ構造により軽量化を図ると共に、その四隅対称箇所にネジ孔９３１を開孔して肘当て９Ｂをネジ止めできるようにしている。
【００３１】
この土台部９３を介して肘桿９Ａに取り付けられる肘当て９Ｂは、左右対称形状を成し、前方部を僅かに垂れ下げた形状としている。また、ポリプロピレンにより一体成形した基台部９４に、エラストマーを一体にモールドして着座者の肘置き箇所を構成している。
【００３２】
この基台部９４は、図７に示すように、下面位置に前記土台部９３に対応した形状を成す取付部であるへこみ部９４１を有し、このへこみ部９４１に肘桿９Ａの土台部９３を填め込んで取り付けられるようにしている。このへこみ部９４１の内面には、土台部９３に設けたネジ孔９３１に対応したナット部材９４２を溶着等の適当手段により取り付けており、土台部９３下方より肘当て９Ｂをネジ止めできるようにしている。
【００３３】
次に、この肘掛け９を椅子１に取り付ける際の取付手順について説明する。
【００３４】
まず、肘桿９Ａを前記座受４に取り付けるために、肘桿９Ａの下端部に設けた着脱部９１の下面９１２を、座受４に設けた肘桿取付部４４の有するガイド部４４ａへスライドさせて、肘桿取付部４４の奥方へ肘桿９Ａを挿入する。そして、この肘桿取付部４４の奥方に設けた凹部４４ｄに着脱部９１前端に設けた凸部９１３ａを填め込むと共に、肘桿取付部４４の下面前端面４４ｃを、肘掛け９の段差部９１４ｂに当接させて肘掛け９を位置決めして、その後、座受４の裏面よりボルト部材をねじ込んで固定する。
【００３５】
そして、前記肘桿９Ａの上端部に設けた土台部９３を、前記肘掛け９の下方に設けたへこみ部９４１に填め込み、土台部９３裏面よりボルト部材を介して肘当て９Ｂを肘桿９Ａに固定する。
【００３６】
以上のような構成のものであると、いわゆるＴ型肘掛けにおいて、左右兼用できる肘掛け９を実現でき、部品点数を減らし、生産コストを下げられる。又、取付の際に肘掛け９左右の方向性を気にせずに肘掛け９を簡易に取りつけられる。
【００３７】
また、前記肘桿９Ａと前記肘当て９Ｂを着脱可能とすることで、椅子１に取り付ける前記肘桿９Ａだけ左右兼用とし、肘当て９Ｂを左右兼用とせずに着座者の用途に合わせた肘当てを取り付けることもできる。
【００３８】
以上説明したものは、肘当て９Ｂを中心位置にて左右対称形状とし、肘当て９Ｂも左右兼用できるようにしているが、本発明に係る椅子は、このような構成に代えて、左右肘当て９Ｂの前方部を着座者側に向けるなど、左右各々別の形状として、着座者の利用しやすい肘当て９Ｂを取り付けるようにしている。このように本発明に係る椅子は、前記肘桿と前記肘当てを着脱可能とすることで、椅子に取り付ける前記肘桿だけ左右兼用とし、肘当てを左右兼用とせずに着座者の用途に合わせた肘当てを取り付けるようにしている。その他の構成も本発明の趣旨を逸脱しない範囲で種々変形が可能である。
【００３９】
【発明の効果】
本発明は、以上説明したような構成で実施され以下に記載されるような効果を奏する。
【００４０】
すなわち、本発明は、左右対称位置に設けられた肘桿取付部に肘掛けの着脱部を着脱可
能に取り付ける椅子において、前記肘桿取付部は、前記着脱部を奥方にガイドするための
ガイド部と、奥方壁に設けられた凹部とを備えたものであり、前記肘掛けは、肘桿と、こ
の肘桿に取り付けられ着座者の肘置き箇所を構成する肘当てとから成り、前記肘桿には、
着脱部から連続的に屈曲させて略直角に起立する肘支柱の上端部に土台部が設けられ、左
右兼用できるように前後対称形状とした前記着脱部には、前記凹部に対して抜き差しでき
る凸部が設けられ、それら凹部と凸部とを凹凸係合すると共に、ボルト部材により前記肘
桿を前記肘桿取付部に固定できるようにしたものであり、前記肘当ては、前記土台部を介
して肘桿に取り付けられるようにしているものであり、前記肘当ては、着座者が利用しや
すい左右各々別の形状として左右兼用とせずに、前記肘桿を左右兼用としたことを特徴と
する。
【００４１】
これにより、いわゆるＴ型肘掛けにおいて、部品点数を減らし、生産コストを下げられる。
【００４２】
【図面の簡単な説明】
【図１】本発明を説明するための実施の形態における椅子の側面図。
【図２】同実施の形態における椅子の正面図。
【図３】同実施の形態における機構の一部を示す分解斜視図。
【図４】同実施の形態における座受の平面図。
【図５】同実施の形態における肘掛けの取付工程斜視図。
【図６】同実施の形態における肘掛けの取付完成斜視図。
【図７】同実施の形態における肘掛けの側面図。
【図８】同実施の形態における肘掛けの正面図。
【図９】同実施の形態における肘掛けの平面図。
【符号の説明】
１・・・椅子
９・・・肘掛け
９Ａ・・・肘桿
９Ｂ・・・肘当て
４４・・・肘桿取付部
【図１】
0004726338.tif 000002
【図２】
0004726338.tif 000003
【図３】
0004726338.tif 000004
【図４】
0004726338.tif 000005
【図５】
0004726338.tif 000006
【図６】
0004726338.tif 000007
【図７】
0004726338.tif 000008
【図８】
0004726338.tif 000009
【図９】
0004726338.tif 000010